【手続補正書】
【提出日】平成16年2月27日(2004.2.27)
【手続補正１】
【補正対象書類名】明細書
【補正対象項目名】特許請求の範囲
【補正方法】変更
【補正の内容】
【特許請求の範囲】
【請求項１】
複数のソフトウェアモジュールを備えるコンピュータ装置及び印刷装置と接続可能であって、着脱可能な記憶媒体に記憶されたデータにアクセスするアクセスデバイスであって、
着脱可能な記憶媒体への媒体インターフェースと、
前記コンピュータ装置との間の第１双方向インターフェースと、
前記印刷装置との間の第２双方向インターフェースと、
一つ或はそれ以上のボタンとを有し、
前記コンピュータ装置のソフトウェアは、ボタンの押下を検知し、押下されたボタンに対応する１つ或はそれ以上のソフトウェアモジュールを起動するよう構成されていることを特徴とするアクセスデバイス。
【請求項２】
前記一つ或はそれ以上のボタンのそれぞれは、前記複数のソフトウェアモジュールの１つ或はそれ以上に割り当て可能であることを特徴とする請求項１に記載のアクセスデバイス。
【請求項３】
前記複数のソフトウェアモジュールは、印刷機能を有する一つ或はそれ以上のソフトウェアモジュールを含むことを特徴とする請求項１に記載のアクセスデバイス。
【請求項４】
前記印刷機能を有するソフトウェアモジュールは、前記媒体インターフェースを介してアクセス可能で着脱可能な記憶媒体に記憶されている画像データを前記印刷装置を用いて印刷するためのユーザインターフェースを提供するソフトウェアモジュールを含むことを特徴とする請求項３に記載のアクセスデバイス。
【請求項５】
前記複数のソフトウェアモジュールは、媒体へのアクセスを行う機能を有する一つ或はそれ以上のソフトウェアモジュールを含むことを特徴とする請求項１に記載のアクセスデバイス。
【請求項６】
前記媒体へのアクセスを行う機能を有するソフトウェアモジュールは、前記媒体インターフェースを介してアクセス可能で着脱可能な記憶媒体に記憶されている画像データをダウンロードし、前記画像データを前記コンピュータ装置に記憶するソフトウェアモジュールを含むことを特徴とする請求項５に記載のアクセスデバイス。
【請求項７】
前記コンピュータ装置は、一つ或はそれ以上のボタンを、一つ或はそれ以上のソフトウェアモジュールに割り当てるボタンマネージャを含むことを特徴とする請求項２に記載のアクセスデバイス。
【請求項８】
前記コンピュータ装置のソフトウェアは、着脱可能な記憶媒体と前記媒体インターフェースとの接続を検知し、その検知に応答して、一つ或はそれ以上のソフトウェアモジュールを起動するように設定されていることを特徴とする請求項１に記載のアクセスデバイス。
【請求項９】
前記コンピュータ装置との前記第１双方向インターフェースは、バス構造をもつことを特徴とする請求項１に記載のアクセスデバイス。
【請求項１０】
前記印刷装置との前記第２双方向インターフェースは、前記第１双方向インターフェースとバス構造を共有することを特徴とする請求項９に記載のアクセスデバイス。
【請求項１１】
ダウンストリーム周辺機器への複数のインターフェースを更に有し、各インターフェースはそれぞれ前記第１双方向インターフェースとバス構造を共有していることを特徴とする請求項９に記載のアクセスデバイス。
【請求項１２】
前記アクセスデバイスは、前記アクセスデバイスに前記第２双方向インターフェースを介して接続された前記印刷装置内に設けられていることを特徴とする請求項１０に記載のアクセスデバイス。
【請求項１３】
複数のソフトウェアモジュールを備えるコンピュータ装置と印刷装置に接続可能であって、着脱可能な記憶媒体への媒体インターフェースと、前記コンピュータ装置との第１双方向インターフェースと、前記印刷装置との第２双方向インターフェースと、１つ或はそれ以上のボタンとを具備するアクセスデバイスを用いて着脱可能な記憶媒体に記憶されたデータにアクセスするための方法であって、
前記ボタンの内の１つのボタンの押下を検知し、
その押下されたボタンに対応する１つ或はそれ以上のソフトウェアモジュールを起動することを特徴とする方法。
【請求項１４】
前記アクセスデバイスの１つ或はそれ以上のボタンのそれぞれは、前記複数のソフトウェアモジュールのうちの１つ或はそれ以上に割り当てられることを特徴とする請求項１３に記載の方法。
【請求項１５】
前記複数のソフトウェアモジュールは、印刷機能を有する１つ或はそれ以上のソフトウェアモジュールを含むことを特徴とする請求項１３に記載の方法。
【請求項１６】
前記印刷機能を有するソフトウェアモジュールは、前記媒体インターフェースを介してアクセス可能で着脱可能な記憶媒体に記憶されている画像データを印刷装置を用いて印刷するためのユーザインターフェースを提供するソフトウェアモジュールを含むことを特徴とする請求項１５に記載の方法。
【請求項１７】
前記複数のソフトウェアモジュールは、媒体にアクセスする機能をもつ１つ或はそれ以上のソフトウェアモジュールを含むことを特徴とする請求項１３に記載の方法。
【請求項１８】
前記媒体にアクセスする機能をもつソフトウェアモジュールは、前記媒体インターフェースを介してアクセス可能で着脱可能な記憶媒体に記憶されている画像データをダウンロードし、前記画像データを前記コンピュータ装置に記憶するソフトウェアモジュールを含むことを特徴とする請求項１７に記載の方法。
【請求項１９】
前記コンピュータ装置は、１つ或はそれ以上のボタンを１つ或はそれ以上のソフトウェアモジュールに割り当てるボタンマネージャーを含むことを特徴とする請求項１４に記載の方法。
【請求項２０】
着脱可能な記憶媒体と前記媒体インターフェースとの接続を検知する工程と、
接続の検知に応答して、１つ或はそれ以上のソフトウェアモジュールを起動する工程とを更に有することを特徴とする請求項１３に記載の方法。
【請求項２１】
前記コンピュータ装置との前記第１双方向インターフェースはバス構造を有することを特徴とする請求項１３に記載の方法。
【請求項２２】
前記印刷装置との前記第２双方向インターフェースは、前記第１双方向インターフェースとバス構造を共有することを特徴とする請求項２１に記載の方法。
【請求項２３】
前記アクセスデバイスは、ダウンストリーム周辺機器への複数のインターフェースを更に有し、当該複数のインターフェースのそれぞれは、前記第１双方向インターフェースとバス構造を共有することを特徴とする請求項２１に記載の方法。
【請求項２４】
前記アクセスデバイスは、前記アクセスデバイスに前記第２双方向インターフェースを介して接続されている印刷装置内に設けられていることを特徴とする請求項２２に記載の方法。
【請求項２５】
コンピュータにより読み出し可能な媒体に記憶された、コンピュータ上で実行可能なプロセスのステップであって、
前記プロセスのステップは、複数のソフトウェアモジュールをもつコンピュータ装置と印刷装置に接続可能なアクセスデバイスを用いて、着脱可能な記憶媒体に記憶されたデータにアクセスするためのもので、前記アクセスデバイスは、着脱可能な記憶媒体への媒体インターフェースと、前記コンピュータ装置への第１双方向インターフェースと、前記印刷装置への第２双方向インターフェースと、１つ或はそれ以上のボタンとを有しており、
前記コンピュータ上で実行可能なプロセスのステップは、請求項１３乃至２４のいずれか１項に記載の方法を実行することを特徴とするコンピュータ上で実行可能なプロセスのステップ。
【請求項２６】
複数のソフトウェアモジュールを有するコンピュータ装置と印刷装置に接続できるアクセスデバイスを用いて、着脱可能な記憶媒体に記憶されたデータにアクセスするためのコンピュータで実行可能なプロセスのステップを記憶している記憶媒体であって、
前記アクセスデバイスは着脱可能な記憶媒体への媒体インターフェースと、前記コンピュータ装置への第１双方向インターフェースと、前記印刷装置への第２双方向インターフェースと、１つ或はそれ以上のボタンとを具備し、
前記コンピュータ上で実行可能なステップは、請求項１３乃至２４のいずれか１項に記載の方法を実行するために実行可能なプロセスのステップを有することを特徴とする記憶媒体。
【請求項２７】
複数のソフトウェアモジュールを有し印刷装置と接続可能なコンピュータ装置に接続可能で、着脱可能な記憶媒体に記憶されたデータにアクセスするアクセスデバイスであって、
着脱可能な記憶媒体との媒体インターフェースと、
前記コンピュータ装置との双方向インターフェースと、
１つ或はそれ以上のボタンとを有し、
前記コンピュータ装置のソフトウェアは、ボタンの押下を検知し、その押下されたボタンに対応する１つ或はそれ以上のソフトウェアモジュール起動するように構成されていることを特徴とするアクセスデバイス。
【請求項２８】
前記１つ或はそれ以上のボタンのそれぞれは、前記複数のソフトウェアモジュールの１つ或はそれ以上に割当て可能であることを特徴とする請求項２７に記載のアクセスデバイス。
【請求項２９】
前記複数のソフトウェアモジュールは、印刷機能を有する１つ或はそれ以上のソフトウェアモジュールを含むことを特徴とする請求項２７に記載のアクセスデバイス。
【請求項３０】
前記印刷機能を有するソフトウェアモジュールは、前記媒体インターフェースを介してアクセス可能で着脱可能な記憶媒体に記憶されている画像データを、前記印刷装置を使用して印刷するためのユーザインターフェースを提供することを特徴とする請求項２９に記載のアクセスデバイス。
【請求項３１】
前記複数のソフトウェアモジュールは、媒体へのアクセス機能を有する１つ或はそれ以上のソフトウェアモジュールを含むことを特徴とする請求項２７に記載のアクセスデバイス。
【請求項３２】
前記媒体へのアクセス機能を有するソフトウェアモジュールは、前記媒体インターフェースを介してアクセス可能で着脱可能な記憶媒体に記憶されている画像データをダウンロードし、当該画像データを前記コンピュータ装置に記憶するソフトウェアモジュールを含むことを特徴とする請求項３１に記載のアクセスデバイス。
【請求項３３】
前記コンピュータ装置は、前記１つ或はそれ以上のボタンを、前記複数のソフトウェアモジュールの１つ或はそれ以上に割当てるべく管理するボタンマネージャを含むことを特徴とする請求項２８に記載のアクセスデバイス。
【請求項３４】
前記コンピュータ装置のソフトウェアは、前記媒体インターフェースを介して着脱可能な記憶媒体との接続を検知し、その接続検知に応答して前記１つ或はそれ以上のソフトウェアモジュールを起動するように構成されていることを特徴とする請求項２７に記載のアクセスデバイス。
【請求項３５】
前記コンピュータ装置との前記双方向インターフェースはバス構造を有することを特徴とする請求項２７に記載のアクセスデバイス。
【請求項３６】
ダウンストリーム周辺機器への複数のインターフェースを更に有し、各インターフェースはそれぞれ前記双方向インターフェースとバス構造を共有していることを特徴とする請求項３５に記載のアクセスデバイス。
【請求項３７】
複数のソフトウェアモジュールを有し印刷装置と接続可能なコンピュータ装置に接続可能で、着脱可能な記憶媒体との媒体インターフェースと、前記コンピュータ装置との双方向インターフェースと、１つ或はそれ以上のボタンとを備えるアクセスデバイスを使用して、前記着脱可能な記憶媒体に記憶されたデータにアクセスする方法であって、
前記ボタンの１つの押下を検知する工程と、
その押下されたボタンに対応する１つ或はそれ以上のソフトウェアモジュール起動する工程と、
を有することを特徴とする方法。
【請求項３８】
前記アクセスデバイスの１つ或はそれ以上のボタンのそれぞれは、前記複数のソフトウェアモジュールの１つ或はそれ以上に割当て可能であることを特徴とする請求項３７に記載の方法。
【請求項３９】
前記複数のソフトウェアモジュールは、印刷機能を有する１つ或はそれ以上のソフトウェアモジュールを含むことを特徴とする請求項３７に記載の方法。
【請求項４０】
前記印刷機能を有するソフトウェアモジュールは、前記媒体インターフェースを介してアクセス可能で着脱可能な記憶媒体に記憶されている画像データを、前記印刷装置を使用して印刷するためのユーザインターフェースを提供するソフトウェアモジュールを含むことを特徴とする請求項３９に記載の方法。
【請求項４１】
前記複数のソフトウェアモジュールは、媒体へのアクセス機能を有する１つ或はそれ以上のソフトウェアモジュールを含むことを特徴とする請求項３７に記載の方法。
【請求項４２】
前記媒体へのアクセス機能を有するソフトウェアモジュールは、前記媒体インターフェースを介してアクセス可能で着脱可能な記憶媒体に記憶されている画像データをダウンロードし、当該画像データを前記コンピュータ装置に記憶するソフトウェアモジュールを含むことを特徴とする請求項４１に記載の方法。
【請求項４３】
前記コンピュータ装置は、前記１つ或はそれ以上のボタンを、前記複数のソフトウェアモジュールの１つ或はそれ以上に割当てるべく管理するボタンマネージャを含むことを特徴とする請求項３８に記載の方法。
【請求項４４】
前記媒体インターフェースを介して着脱可能な記憶媒体との接続を検知する工程と、
その接続検知に応答して前記１つ或はそれ以上のソフトウェアモジュールを起動する工程とを更に有することを特徴とする請求項３７に記載の方法。
【請求項４５】
前記コンピュータ装置との前記双方向インターフェースはバス構造を有することを特徴とする請求項３７に記載の方法。
【請求項４６】
前記アクセスデバイスは、ダウンストリーム周辺機器への複数のインターフェースを更に有し、各インターフェースはそれぞれ前記双方向インターフェースとバス構造を共有していることを特徴とする請求項４５に記載の方法。
【請求項４７】
コンピュータにより読み出し可能な媒体に記憶された、コンピュータ上で実行可能なプロセスのステップであって、
前記プロセスのステップは、複数のソフトウェアモジュールを有し、印刷装置に接続可能なコンピュータ装置に接続可能なアクセスデバイスを用いて、着脱可能な記憶媒体に記憶されたデータにアクセスし、前記アクセスデバイスは、着脱可能な記憶媒体への媒体インターフェースと、前記コンピュータ装置への双方向インターフェースと、１つ或はそれ以上のボタンとを有しており、
前記コンピュータ上で実行可能なプロセスのステップは、請求項３７乃至４６のいずれか１項に記載の方法を実行することを特徴とするコンピュータ上で実行可能なプロセスのステップ。
【請求項４８】
複数のソフトウェアモジュールを有し、印刷装置に接続可能なコンピュータ装置に接続可能なアクセスデバイスを用いて、着脱可能な記憶媒体に記憶されたデータにアクセスするためのコンピュータで実行可能なプロセスのステップを記憶している記憶媒体であって、
前記アクセスデバイスは着脱可能な記憶媒体への媒体インターフェースと、前記コンピュータ装置への双方向インターフェースと、１つ或はそれ以上のボタンとを具備し、
前記コンピュータ上で実行可能なステップは、請求項３７乃至４６のいずれか１項に記載の方法を実行するために実行可能なプロセスのステップを有することを特徴とする記憶媒体。